(57)【要約】【課題】より容易に且つ安全にストレッチ及びトレーニングを行うことができるトレーニング器具等を提供する。【解決手段】トレーニング器具は、ほぼ並行状で相対向している一対の第１グリップ部と、該第１グリップ部相互の間隔に比し狭くしてほぼ並行状に相対向している一対の第２グリップ部とによって全体を平面視でほぼ横長矩形枠を呈した一体のループ状に形成されている。また、第１グリップ部は直線状もしくは緩やかな曲線状に形成され、第２グリップ部は正面視で弓形に湾曲し、中央部分が相互に近接するように平面視で矩形枠の内方に向かってやや窄まり状に形成されている。更に、トレーニング器具は、５０％〜８０％のエラストマーと、５０％〜２０％のポリプロピレンとを混合した混合樹脂材料によって形成されている。【選択図】図１
2018153464.tif 000002
【特許請求の範囲】
【請求項１】
ほぼ並行状で相対向している一対の第１グリップ部と、該第１グリップ部相互の間隔に比し狭くしてほぼ並行状に相対向している一対の第２グリップ部とによって全体を平面視でほぼ横長矩形枠を呈した一体のループ状に形成してなり、
前記第１グリップ部は直線状もしくは緩やかな曲線状に形成され、
前記第２グリップ部は正面視で弓形に湾曲し、中央部分が相互に近接するように平面視で矩形枠の内方向に向かってやや窄まり状に形成されており、
５０％〜８０％のエラストマーと、５０％〜２０％のポリプロピレンとを混合した混合樹脂材料によって形成されている
ことを特徴とするトレーニング器具。
【請求項２】
ほぼ並行状で相対向している一対の第１グリップ部と、該第１グリップ部相互の間隔に比し狭くしてほぼ並行状に相対向している一対の第２グリップ部とによって全体を平面視でほぼ横長矩形枠を呈した一体のループ状に形成してなり、
前記第１グリップ部は直線状もしくは緩やかな曲線状に形成され、
前記第２グリップ部は正面視で弓形に湾曲し、中央部分が相互に近接するように平面視で矩形枠の内方向に向かってそれぞれが１８ｍｍ〜２５ｍｍ窄まった形状に形成されており、
前記第２グリップ部の前記中央部分は平面視で内側面間の距離が４０ｍｍ〜５０ｍｍである
ことを特徴とするトレーニング器具。
【請求項３】
前記第２グリップ部の前記中央部分は平面視で矩形枠の内方向に向かってそれぞれが１８ｍｍ〜２５ｍｍ窄まっており、
前記第２グリップ部の前記中央部分は平面視で内側面間の距離が４０ｍｍ〜５０ｍｍである
ことを特徴とする請求項１に記載のトレーニング器具。
【請求項４】
前記第２グリップ部の前記中央部分は平面視で内側面間の距離が４２．５ｍｍ〜４７．５ｍｍであることを特徴とする請求項２又は３に記載のトレーニング器具。
【請求項５】
ほぼ並行状で相対向している一対の第１グリップ部分と、該第１グリップ部分相互の間隔に比し狭くしてほぼ並行状に相対向している一対の第２グリップ部分とによって全体を平面視でほぼ横長矩形枠を呈した一体のループ状であり、前記第１グリップ部分は直線状もしくは緩やかな曲線状であり、前記第２グリップ部分は正面視で弓形に湾曲し、中央部分が相互に近接するように平面視で矩形枠の内方向に向かってそれぞれが１８ｍｍ〜２５ｍｍ窄まった形状であり、前記第２グリップ部分の前記中央部分は平面視で内側面間の距離が４０ｍｍ〜５０ｍｍである形状を有する金型に、５０％〜８０％のエラストマーと、５０％〜２０％のポリプロピレンとを混合した混合樹脂材料を流し込み、
前記形状を有するトレーニング器具を製造することを特徴とするトレーニング器具の製造方法。
【発明の詳細な説明】
【技術分野】
【０００１】
本発明は、トレーニング器具及びトレーニング器具の製造方法に関する。
【背景技術】
【０００２】
特許文献１にはトレーニング器具が開示されている。特許文献１に開示されたトレーニング器具に依れば、両手で把持する位置、持ち方等を選択することによって身体の各部位に対する種々のストレッチ及びトレーニングを行うことができる。
【先行技術文献】
【特許文献】
【０００３】
【特許文献１】特許第３７６３８４０号公報
【発明の概要】
【発明が解決しようとする課題】
【０００４】
トレーニング器具においては、より容易に且つ安全にストレッチ及びトレーニングを行える器具が求められている。
【０００５】
本発明は、このような事情に鑑みてなされたものであり、その目的とするところは、より容易に且つ安全にストレッチ及びトレーニングを行うことができるトレーニング器具及びトレーニング器具の製造方法を提供することにある。
【課題を解決するための手段】
【０００６】
本発明の一態様に係るトレーニング器具は、ほぼ並行状で相対向している一対の第１グリップ部と、該第１グリップ部相互の間隔に比し狭くしてほぼ並行状に相対向している一対の第２グリップ部とによって全体を平面視でほぼ横長矩形枠を呈した一体のループ状に形成してなり、前記第１グリップ部は直線状もしくは緩やかな曲線状に形成され、前記第２グリップ部は正面視で弓形に湾曲し、中央部分が相互に近接するように平面視で矩形枠の内方向に向かってやや窄まり状に形成されており、５０％〜８０％のエラストマーと、５０％〜２０％のポリプロピレンとを混合した混合樹脂材料によって形成されていることを特徴とする。
【０００７】
本発明の一態様に係るトレーニング器具は、ほぼ並行状で相対向している一対の第１グリップ部と、該第１グリップ部相互の間隔に比し狭くしてほぼ並行状に相対向している一対の第２グリップ部とによって全体を平面視でほぼ横長矩形枠を呈した一体のループ状に形成してなり、前記第１グリップ部は直線状もしくは緩やかな曲線状に形成され、前記第２グリップ部は正面視で弓形に湾曲し、中央部分が相互に近接するように平面視で矩形枠の内方向に向かってそれぞれが１８ｍｍ〜２５ｍｍ窄まった形状に形成されており、前記第２グリップ部の前記中央部分は平面視で内側面間の距離が４０ｍｍ〜５０ｍｍであることを特徴とする。
【０００８】
本発明の一態様に係るトレーニング器具は、前記第２グリップ部の前記中央部分は平面視で矩形枠の内方向に向かってそれぞれが１８ｍｍ〜２５ｍｍ窄まっており、前記第２グリップ部の前記中央部分は平面視で内側面間の距離が４０ｍｍ〜５０ｍｍであることを特徴とする。
【０００９】
本発明の一態様に係るトレーニング器具は、前記第２グリップ部の前記中央部分は平面視で内側面間の距離が４２．５ｍｍ〜４７．５ｍｍであることを特徴とする。
【００１０】
本発明の一態様に係るトレーニング器具の製造方法は、ほぼ並行状で相対向している一対の第１グリップ部分と、該第１グリップ部分相互の間隔に比し狭くしてほぼ並行状に相対向している一対の第２グリップ部分とによって全体を平面視でほぼ横長矩形枠を呈した一体のループ状であり、前記第１グリップ部分は直線状もしくは緩やかな曲線状であり、前記第２グリップ部分は正面視で弓形に湾曲し、中央部分が相互に近接するように平面視で矩形枠の内方向に向かってそれぞれが１８ｍｍ〜２５ｍｍ窄まった形状であり、前記第２グリップ部分の前記中央部分は平面視で内側面間の距離が４０ｍｍ〜５０ｍｍである形状を有する金型に、５０％〜８０％のエラストマーと、５０％〜２０％のポリプロピレンとを混合した混合樹脂材料を流し込み、前記形状を有するトレーニング器具を製造することを特徴とする。
【発明の効果】
【００１１】
本発明の一態様にあっては、より容易に且つ安全にストレッチ及びトレーニングを行うことができる。
【図面の簡単な説明】
【００１２】
【図１】実施形態に係るトレーニング器具の外観を示す斜視図である。
【図２】実施形態に係るトレーニング器具の正投影図である。
【図３】トレーニング器具に対する評価を示す図表である。
【図４】トレーニング器具を両手で把持して使用する方法の例を示す模式図である。
【図５】トレーニング器具を床面上に載置して使用する方法の例を示す模式図である。
【図６】トレーニング器具を床面上に載置して使用する方法の例を示す模式図である。
【図７】トレーニング器具を床面上に載置して使用する方法の例を示す模式図である。
【図８】トレーニング器具を片手で把持する方法の例を示す模式図である。
【図９】トレーニング器具を片手で把持して使用する方法の例を示す模式図である。
【図１０】トレーニング器具を片手で把持して使用する方法の例を示す模式図である。
【発明を実施するための形態】
【００１３】
以下、図面を参照して本発明を実施するための最良の一形態を説明する。
図１は、実施形態に係るトレーニング器具の外観を示す斜視図であり、図２は、実施形態に係るトレーニング器具の正投影図である。なお、図２（ａ）は平面図、図２（ｂ）は正面図、図２（ｃ）は側面図をそれぞれ示す。
【００１４】
図中に符号１で示すトレーニング器具は、共に中実の丸棒状をなす一対の第１グリップ部１ａ及び一対の第２グリップ部１ｂを有する。第１グリップ部１ａは、ほぼ並行状に相対向しており、図２（ａ）で示す平面視で直線状もしくは緩やかな曲線状をなしている。第２グリップ部１ｂは、第１グリップ部１ａの両端をそれぞれ連結しており、ほぼ並行状に相対向しており、その相互の間隔が内方向に向かってやや窄まり状になっていて、その窄まりの方向にほぼ直交する方向で弓形に湾曲していることで略ウイング型アーチ状となっている。第２グリップ部１ｂ相互の間隔は、第１グリップ部１ａ相互の間隔に比して狭くしてあり、その比率は２〜４倍程度としてある。その結果、全体が一体のループとなった矩形枠状となり、平面から見た全体の外形においては人間の骨盤を上から見た形状に近いように丸味を帯びた横長矩形状を呈している。
【００１５】
すなわち、全体を平面からみると、第１グリップ部１ａは平面において左右に位置し、第２グリップ部１ｂは同じく前後（上下）に位置し（図２（ａ）参照）、また全体を正面から見ると、第１グリップ部１ａは左右で下方位置にあり、第２グリップ部１ｂは前後で第１グリップ部１ａ位置に比し上方に位置すると共に、山形状を呈しており（図２（ｂ）参照）、さらに全体を側面からみると、第１グリップ部１ａは前後（左右）に位置し、第２グリップ部１ｂは第１グリップ部１ａ位置に比し上方位置で左右（前後）に位置する（図２（ｃ）参照）。
【００１６】
また第２グリップ部１ｂは、相互に近接するように平面からみてやや窄まり状に形成されており、その拡開角度は例えば１５０度程度である。これらの第１グリップ部１ａ、第２グリップ部１ｂそれぞれは、共に使用者の手指によって直接に把持可能な程度の外径を有している。平面でほぼ丸味を帯びた矩形枠状となっているトレーニング器具１は、この矩形枠の内部に手首・足首が挿入される程度の大きさに形成されており、第１グリップ部１ａ、第２グリップ部１ｂそれぞれを両手で把持したときにはその左右の手指が直接に接触しない程度の内部空間を有するようになっている。
【００１７】
トレーニング器具１の各部の具体的なサイズとしては、第１グリップ部１ａの直径が約２５ｍｍ、第２グリップ部１ｂの直径が約２０ｍｍとなるように、手指にて把持し易い程度の直径を有している。また、第１グリップ部１ａ端部における外形幅員Ｗ１は約１３０ｍｍ程度にし、第２グリップ部１ｂ中央部における外形幅員Ｗ２は約９０ｍｍ程度にし、第１グリップ部１ａ端部から第２グリップ部１ｂ中央部に至る高さｈは約１００ｍｍ程度としてある。また、第１グリップ部１ａの湾曲の大きさは、例えば腕、手首等を通したり、当てたりすることが容易となる程度の例えば内側の幅員Ｗ３が約８５ｍｍ程度とし、第２グリップ部１ｂの側面視での湾曲角度は約１２０度となるように設定してある。第２グリップ部１ｂ相互の間隔は、腕、手首等を通した場合に、腕、手首等から容易に抜け落ちないように、中央部分が平面視で幅員Ｂだけ相互に近接するように窄まっており、中央部分の最も近接する部分の内側幅員Ａが例えば４０ｍｍ〜５０ｍｍ程度に設定してある。幅員Ｂは１８ｍｍ〜２５ｍｍ程度であり、図２（ａ）に示すように、第２グリップ部１ｂのそれぞれにおいて、トレーニング器具１を平面からみたときの最も外側の部分を結ぶ線（図２では一点鎖線で示す）から、第２グリップ部１ｂの中央部分の最も近接する部分の外側面までの距離を示す。なお、第２グリップ部１ｂの内側幅員Ａは、４２．５ｍｍ〜４７．５ｍｍ程度であることがより好ましい。尚、これらの具体的なサイズはあくまでも一例に過ぎず、本発明はこれによって何等限定されないことは勿論である。
【００１８】
トレーニング器具１は、エラストマー及びポリプロピレンを含む混合樹脂材製である。基材となるポリプロピレンに、弾性を有するエラストマーを混合することでフィット性及び弾性を高めた混合樹脂材料を用いる。トレーニング器具１は、例えば射出成型によって第１グリップ部１ａと第２グリップ部１ｂとが一体成型される。具体的には、図１及び図２に示した形状を有する金型に、前述した混合樹脂材料を流し込み、この混合樹脂材料を固めることによりトレーニング器具１が作製される。なお、トレーニング器具１は、一体成型されるほかに、複数の部材を繋ぎ合わせて作製されてもよい。
【００１９】
以上のように構成されたトレーニング器具１は、後述するように、使用者が第１グリップ部１ａ又は第２グリップ部１ｂを手で把持したり、床の上に置いて使用される。このようにして使用されるので、トレーニング器具１は、フィット性及び弾性が要求される。よって、本実施形態では、トレーニング器具１のフィット性及び弾性を高めるために、ポリプロピレンにエラストマーを混合させた混合樹脂材料を用いる。また、トレーニング器具１のフィット性及び弾性を評価するために評価試験を行い、図３に示す結果が得られた。
図３は、エラストマー及びポリプロピレンの含有率を異ならせて作製したトレーニング器具に対する評価を示す図表である。図３に示すようにエラストマー及びポリプロピレンの含有率をそれぞれ異ならせてトレーニング器具１のサンプルを９個作製した。そして、各サンプルにおいて、例えば、トレーニング器具１の表面が所定値以上の摩擦係数を有する場合、フィット性の評価として「有」と判定し、トレーニング器具１が所定値以上の弾性係数を有する場合、弾性の評価として「有」と判定する。なお、各サンプルの評価基準はこれらに限らない。
【００２０】
図３に示す評価結果から、エラストマーの含有率が５０％〜８０％であり、ポリプロピレンの含有率が５０％〜２０％である混合樹脂材料を用いることが好ましいことが分かる。本実施形態では、５０％〜８０％のエラストマーと５０％〜２０％のポリプロピレンとを混合した混合樹脂材料によって作製することにより、良好なフィット性及び適度な弾性を併せ持つトレーニング器具１を作製できる。
【００２１】
以下に、トレーニング器具１の使用方法について説明する。
図４は、トレーニング器具１を両手で把持して使用する方法の例を示す模式図である。図４（ａ）に示す使用方法では、使用者は両手で第１グリップ部１ａをそれぞれ把持し、図４（ｂ）に示す使用方法では、使用者は両手で第２グリップ部１ｂをそれぞれ把持する。このように両手でトレーニング器具１を把持した状態で、使用者は両腕を前方に伸ばしたり、手前に引いたりすることでトレーニング等を行う。
図４に示すような使用方法において、トレーニング器具１が良好なフィット性を有するので、使用者が把持したときのグリップ性が向上し、使用し易い。また、トレーニング器具１が適度な弾性を有するので、使用者が加える力に応じた反発力が加わり、効果的なトレーニングが行える。よって、子供や介護対象者等の握力の弱い使用者であっても把持し易く、容易に且つ安全にトレーニング等を行うことができる。
【００２２】
本実施形態のトレーニング器具１では、一対の第１グリップ部１ａ間の間隔と、一対の第２グリップ部１ｂ間の間隔とが異なる。よって、使用者が両手で把持する部位を第１グリップ部１ａもしくは第２グリップ部１ｂのいずれかを選択することで、両手で把持した際の両手幅間隔が変えられる。両手幅間隔が変わることにより、身体の各部位に対するトレーニング及びストレッチを効果的に行うことができる。
【００２３】
また、トレーニング器具１は適度な弾性を有するので、製造工程中の破損が抑制されて歩留まりを向上させることができ、使用中に無理な力がトレーニング器具１に加わった場合であっても破損しない。よって、子供や介護対象者等であっても安全にストレッチ及びトレーニングを行うことができる。
【００２４】
更に、本実施形態のトレーニング器具１は、図５乃至図７に示すように、床面に置いて使用することができる。図５乃至図７は、トレーニング器具１を床面上に載置して使用する方法の例を示す模式図である。図５乃至図７に示すように、トレーニング器具１を床面上に載置して使用する場合、トレーニング器具１は、第１グリップ部１ａが床面上に接触し、第２グリップ部１ｂの弓状の山形凸部側が上側に向くようにして床面に載置される。図５に示す使用方法では、使用者は、２つの第１グリップ部１ａがそれぞれ頭側及び足側となるように配置し、トレーニング器具１の上に身体を仰向けで寝かせて、第２グリップ部１ｂの凸部に背骨や腰を当てて身体が反るようにしてストレッチ等を行う。また、図５中の矢符に示すように、使用者は床面に対して上半身や下半身を持ち上げることで、トレーニング等を行う。
【００２５】
図６及び図７に示す使用方法では、使用者は２つの第１グリップ部１ａをそれぞれ自身の左右側に配置する。そして、図６に示す使用方法では、使用者はトレーニング器具１の第２グリップ部１ｂの凸部にふくらはぎ又は太ももを当ててマッサージ等を行う。また、図７に示す使用方法では、使用者はトレーニング器具１の第２グリップ部１ｂの凸部に足の裏を当ててマッサージ等を行う。
図５乃至図７に示すような使用方法において、トレーニング器具１が良好なフィット性及び適度な弾性を有するので、トレーニング器具１が床面上を滑ることが抑制され、安全にトレーニング等を行うことができる。また、図５乃至図７に示すような使用方法において、トレーニング器具１が適度な弾性を有するので、無理な力がトレーニング器具１に加わった場合であっても破損せず、変形することにより使用者の身体に無理な力が加わらない。よって、子供や介護対象者等であっても安全にストレッチ及びトレーニングを行うことができる。
【００２６】
図８は、トレーニング器具１を片手で把持する方法の例を示す模式図であり、図９及び図１０は、トレーニング器具１を片手で把持して使用する方法の例を示す模式図である。図８（ａ），（ｂ）には、一対の第２グリップ部１ｂの間に凸部側から左手を挿入し、一方の第１グリップ部１ａ（図８（ａ），（ｂ）では左側の第１グリップ部１ａ）を前腕の外側に当て、他方の第１グリップ部１ａを把持した状態を示す。図８（ａ）は前腕の外側から見た状態を示し、図８（ｂ）は前腕の内側から見た状態を示す。
図８（ｃ），（ｄ）には、一対の第２グリップ部１ｂの間に凸部側から左手を挿入し、一方の第１グリップ部１ａを前腕の内側に当て、他方の第１グリップ部１ａを把持した状態を示す。図８（ｃ）は前腕の内側から見た状態を示し、図８（ｄ）は前腕の外側から見た状態を示す。
【００２７】
本実施形態のトレーニング器具１では、第１グリップ部１ａの湾曲部分の内側の幅員Ｗ３が約８５ｍｍ程度としてあり、例えば腕、手首等を容易に通すことができる。また、一対の第２グリップ部１ｂの中央部分の内側幅員Ａが、第１グリップ部１ａに通した腕、手首等が抜けないように４０ｍｍ〜５０ｍｍ程度としてある。よって、第１グリップ部１ａに腕、手首等を通して片手でトレーニング器具１を把持した場合に、トレーニング器具１を腕、手首等に固定することができ、図８に示す把持態様を維持できる。よって、トレーニング器具１を腕、手首等の動きと一体化させることができるので、トレーニング等を効率よく行うことができる。また、図８（ｃ），（ｄ）に示す方法でトレーニング器具１を把持しているときに、把持している手を第１グリップ部１ａから離した場合であっても、第２グリップ部１ｂが手首に引っ掛かるので、トレーニング器具１が手首、腕から落下することを防止できる。なお、第２グリップ部１ｂの中央部分の内側幅員Ａを４２．５ｍｍ〜４７．５ｍｍ程度に細くした場合、腕、手首等が細い使用者にも対応できる。
【００２８】
図９に示す使用方法では、使用者は、２個のトレーニング器具１をそれぞれ片手で把持して両手を動かし、バランスを取りながら身体の前後、左右に身体を反らし、捻り、更には身体全体を捻ることでトレーニング、スクラッチ、筋膜リリース等を行う。このとき図示のように椅子に座ることで身体の捻りを大きくでき、その効率性を大きくできる。またこのとき、トレーニング器具１にある程度の重さがあれば、トレーニング効果がより得られる。
図１０に示す使用方法では、使用者は、片手でトレーニング器具１を把持し、トレーニング器具１の一部で胸に対して押し当て又は押し当てながらしごくことでマッサージ、筋膜リリース等を行うことができる。なお、同様の方法で、首・肩・腰・腹・手足・手首・足首等の身体部位に対してマッサージ、筋膜リリース等を行うことができる。
図９及び図１０に示すような使用方法において、トレーニング器具１が腕に固定できるので、トレーニング器具１を腕の動きと一体化させることができ、トレーニング、マッサージ等を効率よく行うことができる。また、使用者が衣服の上から身体の各部位にトレーニング器具１を押し当てる場合であっても、トレーニング器具１は所望のフィット性を有するので、トレーニング器具１が衣服に密着し、衣服の上を滑ることを防止でき、使用感が良い。よって、マッサージ、筋膜リリース等を効率よく行うことができる。
【００２９】
上述したように、本実施形態のトレーニング器具１では、片手で把持するのか両手で把持するのかの選択、片手又は両手での把持形態、トレーニング器具１を把持した状態での身体の屈伸、屈曲、肩・腕全体の振り、立った状態での足の位置等の組み合わせによって、身体のどのような部位に対してもストレッチ作用、マッサージ作用を与えることができる。尚、トレーニング器具１の上述した使用方法は、一例にすぎない。
【００３０】
本実施形態のトレーニング器具１は、使用形態を種々に工夫し、例えば押し・引き・捻り、身体に当てる部位の選択、当てる方向、身体全体あるいは部分的な捻り、伏せ・仰向け・着座・中腰・立位等の使用時の姿勢、頸・肩・腰・腹・手足・手首・足首等の身体部位によって各身体部位のトレーニング・ストレッチを可能にし、筋肉ストレッチトレーニング、筋力アップトレーニング、身体マッサージ、さらには美容ダイエットトレーニング、病院用リハビリトレーニングを行う場合等、多用途に使用することができる。
【００３１】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００３２】
１  トレーニング器具
１ａ  第１グリップ部
１ｂ  第２グリップ部
【図１】
2018153464.tif 000003
【図２】
2018153464.tif 000004
【図３】
2018153464.tif 000005
【図４】
2018153464.tif 000006
【図５】
2018153464.tif 000007
【図６】
2018153464.tif 000008
【図７】
2018153464.tif 000009
【図８】
2018153464.tif 000010
【図９】
2018153464.tif 000011
【図１０】
2018153464.tif 000012